(57)【要約】【課題】取付け作業を容易にし、且つ確実な固定を実現する。【解決手段】電柱の上部に架けられた高圧線から分岐する高圧引下線１１ａ，１１ｂを、高圧引留碍子１０に固定させるための道具であって、前記高圧引留碍子１０に掛けられた前記高圧引下線１１ａ，１１ｂの二重に重なる複線部５に巻回され、自然状態において複数の波形状となる大波状部１５、前記高圧引留碍子１０に掛けられた前記高圧引下線１１ａ，１１ｂの前記複線部１５以外の単線部６に巻回され、前記大波状部に連結して形成されると共に自然状態において複数の波形状となる小波状部１６を有し、前記大波状部１５の波形の振幅及び波長が、前記小波状部１６よりも大きく設計されている。【選択図】図１
2008092687.tif 000002
【特許請求の範囲】
【請求項１】
電柱の上部に架けられた高圧線から分岐する高圧引下線を、高圧引留碍子に固定させるための道具であって、
前記高圧引留碍子に掛けられた前記高圧引下線の二重に重なる複線部に巻回され、自然状態において複数の波形状となる大波状部、
前記高圧引留碍子に掛けられた前記高圧引下線の前記複線部以外の単線部に巻回され、前記大波状部に連結して形成されると共に自然状態において複数の波形状となる小波状部、
を有し、
前記大波状部の波形の振幅及び波長が、前記小波状部よりも大きいことを特徴とする高圧引下線グリップ。
【請求項２】
前記大波状部側の端部に、輪状部が形成されていることを特徴とする請求項１記載の高圧引下線グリップ。
【請求項３】
前記小波状部側の端部に、偏平部が形成されていることを特徴とする請求項１又は２記載の高圧引下線グリップ。
【請求項４】
心材がＪＩＳ Ｇ ３５０６に規定するＳＷＲＨ６２Ｂからなることを特徴とする請求項１〜３のいずれか一つに記載の高圧引下線グリップ。
【請求項５】
前記心材表面に溶融亜鉛メッキ層が被覆され、該溶融亜鉛メッキ層の外面にナイロン層が被覆されていることを特徴とする請求項４記載の高圧引下線グリップ。
【発明の詳細な説明】
【技術分野】
【０００１】
本発明は、電柱の上部に架けられた高圧線を下方へ引き下げる際に、当該高圧線から分岐された高圧引下線を、電柱の所定部に設置された高圧引留碍子に固定するための道具に関するものである。
【背景技術】
【０００２】
図６において、主な電柱１０１の構造が概略的に示されている。同図において、電柱１０１の上部には、複数の電柱１０１に渡って架けられた高圧線を下方へ引き下げるために該高圧線から分岐された高圧引下線１０２が設けられている。この高圧引下線１０２は、電柱１０１上部に設けられた上側高圧引留碍子１０５に固定され、下方に引き下げられ、電柱１０１のトランス１０９が設置される位置と略同じ高さに設けられた下側高圧引留碍子１０６に固定され、トランス１０９内に引き込まれている。このように、電柱１０１の上部に架けられた高圧線を地上方向へ引き下げるための構造について、様々な検討がなされている（特許文献1参照）。
【０００３】
図７において、従来構造における高圧引下線１０２ａ，１０２ｂの上側高圧引留碍子１０５への固定状態が示されている。高圧引下線１０２ａ，１０２ｂは、上側高圧引留碍子１０５に上方から弛むように掛けられ、該上側高圧引留碍子１０５の両側から垂下する部分を、バインド１１０によって束ねることにより、該上側高圧引留碍子１０５に固定されている。このバインド１１０は、銅製のワイヤにビニル被覆が施されたものであり、電柱１０１上部に掛けられた高圧線から分岐されて弛むように延びる高圧引下線１０２ａと、上側高圧引留碍子１０５から下側高圧引留碍子１０６に向かって略垂直に延びる高圧引下線１０２ｂとが重なる複線部１１５に十回程度、該複線部１１５の下方側において前記高圧引下線１０２ｂのみとなる単線部１１６に五回程度巻回されている。また、下側高圧引留碍子１０６への高圧引下線１０２の固定は、上記した上側高圧引留碍子１０５への固定構造を、上下逆にしたものとなる。
【特許文献１】特開２００６−５０８５５号公報
【発明の開示】
【発明が解決しようとする課題】
【０００４】
しかしながら、上述したようなバインド１１０は、通常の銅製ワイヤと略同一の機械的性質を有し、自然状態において直線又は単なる円形の状態となっているため、このバインド１１０を上記のように高圧引下線１０２ａ，１０２ｂに巻き付ける作業は困難なものであり、作業員の熟練した技術、また長い作業時間を必要とした。
【０００５】
そこで、本発明は、高圧引下線を高圧引留碍子に固定させるための道具において、取付け作業を容易にし、且つ確実な固定を実現することを目的とする。
【課題を解決するための手段】
【０００６】
上記課題の解決を図る本発明は、電柱の上部に架けられた高圧線から分岐する高圧引下線を、高圧引留碍子に固定させるための道具であって、前記高圧引留碍子に掛けられた前記高圧引下線の二重に重なる複線部に巻回され、自然状態において複数の波形状となる大波状部、前記高圧引留碍子に掛けられた前記高圧引下線の前記複線部以外の単線部に巻回され、前記大波状部に連結して形成されると共に自然状態において複数の波形状となる小波状部を有し、前記大波状部の波形の振幅及び波長が、前記小波状部よりも大きいことを特徴とする高圧引下線グリップである（請求項１）。
【０００７】
このように、自然状態（不使用時の状態）において高圧引下線に巻き付けられ部分が波形状となっていることにより、取付け作業をする際に、この波形に合わせて上記高圧引下線グリップを高圧引下線に巻き付けていけばよいので、熟練した技術がなくとも、確実に固定でき、またきれいな仕上がりを実現することができる。また、上記のように振幅及び波長の異なる大波状部と小波状部とを有することにより、大波形部の螺旋径を高圧引下線の複線部の太さに合わせることができると共に、小波形部の螺旋径を単線部の太さに容易に合わせることができる。
【０００８】
また、上記請求項１記載の構成において、更に前記大波状部側の端部に、輪状部が形成されていることが好ましい（請求項２）。
【０００９】
この輪状部を高圧引留碍子に引っ掛けることにより、巻付け作業がしやすくなると共に、固定強度も増加させることができる。
【００１０】
また、上記請求項１又は２記載の構成において、更に前記小波状部側の端部に、偏平部が形成されていることが好ましい（請求項３）。
【００１１】
従来においては、このような固定具の端部が高圧引下線の絶縁層に食い込みやすかったことから、漏電等の危険性が問題視されていたが、上記構成のように、この端部を偏平形状とすることにより、このような食い込みが起こる危険性を軽減することができる。
【００１２】
また、上記請求項１〜３のいずれかに記載の構成において、心材がＪＩＳ Ｇ ３５０６に規定するＳＷＲＨ６２Ｂからなることが好ましい（請求項４）。
【００１３】
上記心材を使用することにより、自然状態における上記波形、輪形等の形状の維持と、巻付け完了時における固定強度を好適に両立させることができる。
【００１４】
また、上記請求項４記載の構成において、前記心材の表面に溶融亜鉛メッキ層が被覆され、該溶融亜鉛メッキ層の外面にナイロン層が被覆されていることが好ましい（請求項５）。
【００１５】
これにより、優れた絶縁性、耐久性等を得ることができる。
【発明の効果】
【００１６】
以上のように、本発明に係る高圧引下線グリップにおいては、自然状態において波形、輪形等の形状が保たれていることにより、高圧引下線への巻付け作業が容易となり、従来のように熟練した技術が不要となる。また、この波形が、高圧引下線の複線部と単線部とに相当する部分の螺旋径に合わせて形成されていることにより、作業性が大きく向上される。更に、使用する心材を上記特定のものとすることにより、上記形状の維持と、巻付け完了時における固定強度の確保とを両立させることができる。
【発明を実施するための最良の形態】
【００１７】
以下、添付した図面を参照して本発明の実施例を説明する。図１及び図２において、本発明に係る高圧引下線グリップ１の使用状態が示されている。図１においては、上側高圧引留碍子１０に、高圧引下線１１ａ，１１ｂが固定される場合が示されている。前記上側高圧引留碍子１０は、図６及び図７中に示した上側高圧引留碍子１０５に相当するものであり、前記高圧引下線１１ａ，１１ｂは、図７中に示した高圧引下線１０２ａ，１０２ｂに相当するものであり、それぞれ上記と同様の作用効果を奏するものであるため、ここではこれら上側高圧引留碍子１０及び高圧引下線１１ａ，１１ｂの説明を省略する。
【００１８】
図１及び図２において、高圧引下線１１ａ，１１ｂは、上側高圧引留碍子１０に上方から弛むように掛けられ、この弛みによって重なる部分を高圧引下線グリップ１によって束ねることにより、該上側高圧引留碍子１０に固定されている。電柱の上部に掛けられた高圧線から分岐されて弛みをもって延びる高圧引下線１１ａと、上側高圧引留碍子１０から下側高圧引留碍子（図６中１０６に相当するもの）に向かって略垂直に延びる高圧引下線１１ｂとが重なる複線部５に三回、該複線部５の下方側において前記高圧引下線１１ｂのみとなる単線部６に二回巻回されている。
【００１９】
図３において、自然（不使用時の）状態の前記高圧引下線グリップ１が示されている。同図に示すように、この高圧引下線グリップ１は、輪状部１４、大波状部１５、小波状部１６、及び偏平部１７を有している。
【００２０】
輪状部１４は、下方側に開口した略円形状の部分であり、図２に示すように、上側高圧引留碍子１０に引っ掛けられる部分である。
【００２１】
大波状部１５は、前記輪状部１４の下方側に連結する三つの波形状を有する部分であり、前記複線部５（図１及び図２参照）に巻回される部分である。
【００２２】
小波状部１６は、前記大波状部１５の下方側に連結する二つの波形状を有する部分であり、前記単線部６（図１及び図２参照）に巻回される部分である。
【００２３】
偏平部１７は、前記小波状部１６の下方端に形成され断面偏平形状を有する部分であり、高圧引下線グリップ１の下端部を前記単線部６に止めるための部分である。
【００２４】
前記大波状部１５の振幅をＡ1、波長をＷ1、前記小波状部１６の振幅をＡ2、波長をＷ2とする時、Ａ1＞Ａ2、且つＷ1＞Ｗ2となるように設計されている。そして、前記大波状部１５の波形一つ分の長さＬ1が、前記複線部５を螺旋状に一回転する長さに設計され、前記小波状部１６の波形一つ分の長さＬ2が、前記単線部６を螺旋状に一回転する長さに設計されている。
【００２５】
図４及び図５において、前記高圧引下線グリップ１の断面図が示されている。図４は、輪状部１４、大波状部１５、及び小波状部１６の断面を示すものであり、該断面は円形状となっている。図５は、偏平部１７の断面を示すものであり、該断面は偏平形状となっている。そして、この高圧引下線グリップ１（１４〜１７）は、心材２０としてＪＩＳ Ｇ ３５０６（硬鋼線材）に規定されるＳＷＲＨ６２Ｂ、又はこれと同等以上の機械的性質を有する線材を使用し、該心材２０の表面に溶融亜鉛メッキ層２１が形成され、該溶融亜鉛メッキ層２１の外面にナイロン層２２が形成されている。
【００２６】
また、他の実施例として、高圧引下線グリップ１全体、即ち輪状部１４、大波状部１５、小波状部１６、及び偏平部１７を、図５に示すような偏平形状としてもよい。
【００２７】
以上において、上側高圧引留碍子１０に高圧引下線１１が固定される例を示したが、下側高圧引留碍子（図６中１０６に該当するもの）への固定も前記上側高圧引留碍子１０への固定構造と同様であり、この上側高圧引留碍子１０への固定構造を、上下逆にしたものとなる。
【図面の簡単な説明】
【００２８】
【図１】高圧引下線グリップの使用状態を示す図である。
【図２】高圧引下線グリップの使用状態を示す図である。
【図３】高圧引下線グリップの自然（不使用時の）状態を示す図である。
【図４】高圧引下線グリップの輪状部、大波状部、及び小波状部の断面を示す図である。
【図５】高圧引下線グリップの偏平部の断面を示す図である。
【図６】電柱上部の構造を示す図である。
【図７】従来の高圧引下線バインドの使用状態を示す図である。
【符号の説明】
【００２９】
１  高圧引下線グリップ
１０  （上側）高圧引留碍子
１１（１１ａ，１１ｂ）  高圧引下線
１４  輪状部
１５  大波状部
１６  小波状部
１７  偏平部
２０  心材
２１  溶融亜鉛メッキ層
２２  ナイロン層
【図１】
2008092687.tif 000003
【図２】
2008092687.tif 000004
【図３】
2008092687.tif 000005
【図４】
2008092687.tif 000006
【図５】
2008092687.tif 000007
【図６】
2008092687.tif 000008
【図７】
2008092687.tif 000009